(57)【要約】【課題】高温となっている機器の箇所を視覚的にわかりやすく表示し高温警告効果を高めた加熱調理器を提供すること。【解決手段】鍋を加熱する複数の加熱源１３、２２、３６と、加熱源近傍あるいは鍋の温度を検出するサーミスタ１４、２３、３８と、各加熱源の動作状態表示用ＬＣＤ３０、３２、３４と、そのバックライト３１、３３、３５を備え、サーミスタが高温であることを検出した時に、高温となっている加熱源のＬＣＤのバックライトを通常時と異なる動作としたもので高温となっている機器の箇所を視覚的にわかりやすく表示できる。【選択図】図１
2005267949.tif 000002
【特許請求の範囲】
【請求項１】
鍋を載置する天板と、載置した鍋を加熱する複数の加熱源と、前記加熱源近傍あるいは鍋の温度を検出する温度検出手段と、前記各加熱源に関連した表示を行なう複数の表示手段と、前記表示手段のバックライトと、前記加熱源の出力や前記表示手段および前記バックライトの表示を制御する制御手段とを備え、前記制御手段は、前記温度検出手段が高温であることを検出すると当該する前記加熱源の表示手段のバックライトを高温検出していない時と異なる動作をさせ高温となっている加熱源を特定するようにした加熱調理器。
【請求項２】
制御手段は、各加熱源が加熱動作していない時、前記温度検出手段が高温であることを検出すると、当該加熱源の表示手段のバックライトを高温検出していない時と異なる動作をさせる請求項１に記載の加熱調理器。
【請求項３】
加熱源への電源の供給を入り切りする電源スイッチと、前記電源スイッチが切りのときに制御手段およびバックライトに電源を供給する補助電源供給手段とを備え、前記制御手段は、前記電源スイッチが切りのときであって前記温度検出手段が高温であることを検出すると当該する前記加熱源の表示手段のバックライトを高温検出していない時と異なる動作をさせ高温となっている加熱源を特定するようにした請求項１または２に記載の加熱調理器。
【請求項４】
制御手段は、高温検出していない時はバックライトを点灯、高温検出時はバックライトを点滅させる請求項１〜３のいずれか１項に記載の加熱調理器。
【請求項５】
制御手段は、高温検出していない時と高温検出時とでバックライトの点灯色を変化させる請求項１〜３のいずれか１項に記載の加熱調理器。
【請求項６】
制御手段は、高温検出していない時はバックライトを消灯、高温検出時はバックライトを点滅もしくは点灯させる請求項２または３に記載の加熱調理器。
【請求項７】
表示手段に高温である旨を文字として表示する請求項１〜６のいずれか１項に記載の加熱調理器。
【請求項８】
表示手段とバックライトを各加熱源の前方に配した請求項１〜６のいずれか１項に記載の加熱調理器。
【発明の詳細な説明】
【技術分野】
【０００１】
本発明は、加熱部が２つ以上ある複合加熱調理器に関するものである。
【背景技術】
【０００２】
従来、この種の加熱調理器は、電熱ヒータによる加熱で天板が高温となった時、高温表示ＬＥＤを点灯し使用者に温度上昇を警告している（例えば、特許文献１参照）。
【０００３】
図８は、特許文献１に記載された従来の加熱調理器の平面図を示すものである。図８に示すように、誘導加熱コイル１、２と、電熱ヒータ３と、高温表示ＬＥＤ４と、天板５とから構成されている。
【特許文献１】特開２００２−１３４２５８号公報
【発明の開示】
【発明が解決しようとする課題】
【０００４】
しかしながら、前記従来の技術では、複数の加熱部の内、電熱ヒータ周辺の高温警告に限定されるものであり、また高温表示ＬＥＤ点灯時も天板のどこの箇所が高温となっているか使用者には認識しづらいという課題を有していた。
【０００５】
本発明は前記従来の課題を解決するもので、高温となっている機器の箇所を視覚的にわかりやすく表示し高温警告効果を高めた加熱調理器を提供することを目的とする。
【課題を解決するための手段】
【０００６】
前記従来の課題を解決するために、本発明の加熱調理器は、鍋を載置する天板と、鍋を加熱する複数の加熱源と、前記加熱源近傍あるいは鍋の温度を検出する温度検出手段と、前記各加熱源に関連した表示を行なう複数の表示手段と、前記表示手段のバックライトとを備え、前記温度検出手段が高温であることを検出した時、当該加熱源の表示手段のバックライトを高温検出していない時と異なる動作をさせ、高温となっている加熱源を特定したものである。
【０００７】
既存の構成要素であるバックライトの動作と高温検知動作を関連付けることで、各加熱源毎に独立した高温表示ランプや高温検知表示ランプ自体を設けることなく、高温となっている機器の箇所を視覚的にわかりやすく表示できる。
【発明の効果】
【０００８】
本発明の加熱調理器は、高温となっている機器の箇所を視覚的にわかりやすく表示し高温警告効果を高めることができる。
【発明を実施するための最良の形態】
【０００９】
第１の発明は、鍋を載置する天板と、載置した鍋を加熱する複数の加熱源と、前記加熱源近傍あるいは鍋の温度を検出する温度検出手段と、前記各加熱源に関連した表示を行なう複数の表示手段と、前記表示手段のバックライトと、前記加熱源の出力や前記表示手段および前記バックライトの表示を制御する制御手段とを備え、前記制御手段は、前記温度検出手段が高温であることを検出すると当該する前記加熱源の表示手段のバックライトを高温検出していない時と異なる動作をさせ高温となっている加熱源を特定するようにしたことにより、高温となっている機器の箇所を視覚的にわかりやすく表示し、使用者への高温警告効果を高めることができる。また、各表示手段の視認性を向上させる既存の構成要素であるバックライトを用いて高温となっている加熱源近傍箇所を表示するため、各加熱源毎に独立した高温表示ランプ等の高温報知手段を設けたり、独立した高温報知手段自体設けたりせずとも、高温警告でき安価な構成となる。
【００１０】
第２の発明は、特に、第１の発明の構成で、各加熱源が加熱動作していない時、温度検出手段が高温であることを検出すると、当該加熱源の表示手段のバックライトを高温検出していない時と異なる動作をさせ、高温となっている加熱源を特定することにより、加熱動作を使用者が行なっていない時も高温となっている機器の箇所を視覚的にわかりやすく表示し、加熱動作を使用者が行なっていない時も高温警告を効果的に行なうことができる。
【００１１】
第３の発明は鍋を載置する天板と、鍋を加熱する複数の加熱源と、前記加熱源近傍あるいは鍋の温度を検出する温度検出手段と、前記各加熱源に関連した表示を行なう複数の表示手段と、前記表示手段のバックライトと、加熱源への電源の供給を入り切りする電源スイッチと、前記電源スイッチが切りのときに制御手段およびバックライトに電源を供給する補助電源供給手段とを備え、制御手段は、電源スイッチが切りの時（オフ時）に前記温度検出手段が高温であることを検出すると、当該加熱源の表示手段のバックライトを高温検出していない時と異なる動作をさせ、高温となっている加熱源を特定することにより、高温となっている機器の箇所を視覚的にわかりやすく表示し、電源スイッチオフ時にも使用者への高温警告を効果的に行なうことができる。また、各表示手段の視認性を向上させる既存の構成要素であるバックライトを用いて高温となっている加熱源近傍箇所を表示するため、各加熱源毎に独立した高温表示ランプ等の高温報知手段を設けたり、独立した高温報知手段自体設けたりせずとも、高温警告でき安価な構成となる。
【００１２】
第４の発明は、特に、第１〜３の発明のいずれか１つの発明のバックライトの動作を限定するもので、高温検出していない時はバックライトを点灯、高温検出時はバックライトを点滅させることで、高温となっている機器の箇所を視覚的にわかりやすく表示でき、使用者への高温警告効果を高めることができる。
【００１３】
第５の発明は、特に、第１〜３の発明のいずれか１つの発明のバックライトの動作を限定するもので、高温検出していない時と高温検出時とでバックライトの点灯色を変化させることで、高温となっている機器の箇所を視覚的にわかりやすく表示でき、使用者への高温警告効果を高めることができる。
【００１４】
第６の発明は、特に、第２または３の発明のバックライトの動作を限定するもので、高温検出していない時はバックライトを消灯、高温検出時はバックライトを点滅もしくは点灯させることで、高温となっている機器の箇所を視覚的にわかりやすく表示でき、使用者への高温警告効果を高めることができる。
【００１５】
第７の発明は、特に、第１〜６の発明のいずれか１つの発明の表示手段の動作を限定するもので、表示手段に高温である旨を文字として表示することで、高温となっている機器の箇所を視覚的にわかりやすく表示でき、使用者への高温警告効果を高めることができる。
【００１６】
第８の発明は、第１〜７の発明のいずれか１つの発明において、表示手段とバックライトを各加熱源の前方に配することを特長とし、各加熱源と、それに対応する表示手段とバックライトを物理的にわかりやすく配置することで、高温となっている機器の箇所を視覚的にわかりやすく表示でき、使用者への高温警告効果を高めることができる。
【００１７】
（実施の形態１）
図１は、本発明の第１の実施の形態における加熱調理器の回路ブロック図を示すものである。
【００１８】
図１の回路ブロック図に示すように商用電源１０に電源スイッチ１１を介して、周波数変換装置１２、周波数変換装置２１、加熱源である電熱ヒータ３６とリレー３７の直列回路が並列に接続されている。周波数変換装置１２には加熱源である加熱コイル１３が、周波数変換装置２１には加熱源である加熱コイル２２が接続されている。
【００１９】
温度検出手段であるサーミスタ１４、サーミスタ２３は、それぞれ加熱コイル１３、加熱コイル２２の上部に位置し、負荷を載置するための天板裏面に当接して取り付けられている。温度検出手段であるサーミスタ３８は電熱ヒータ３６の上部近傍に設けられている。サーミスタ１４は温度検知回路１５に、サーミスタ２３は温度検知回路２４に、サーミスタ３８は温度検知回路３９にそれぞれ接続されている。
【００２０】
温度検知回路１５の出力信号は、周波数変換装置１２の制御回路１８に入力され、温度検知回路２４の出力信号は、周波数変換装置２１の制御回路２７に入力され、温度検知回路３９の出力信号は、リレー３７の制御回路４０に入力されている。
【００２１】
制御回路２７と制御回路４０は、それぞれ加熱コイル２２、電熱ヒータ３６の動作状態とサーミスタ２３、サーミスタ３８から得られた温度データを制御回路２８に出力する。制御回路１８は加熱コイル１３の動作状態とサーミスタ１４から得られた温度データを、それぞれフォトカプラ１９、フォトカプラ２０を介して制御回路２８に出力する。また、制御回路２７には周波数変換装置２１の印可電圧を監視して、電源スイッチ１１のオンオフを検知する機能があり、電源スイッチオンオフの情報も制御回路２８に出力する。
【００２２】
制御回路２８では、制御回路１８、制御回路２７、制御回路４０から得た、それぞれ加熱コイル１３、加熱コイル２２、電熱ヒータ３６の動作状態を、表示手段であるＬＣＤ３０、表示手段であるＬＣＤ３２、表示手段であるＬＣＤ３４に出力し、加熱コイル１３の動作状態をＬＣＤ３０に、加熱コイル２２の動作状態をＬＣＤ３４に電熱ヒータ３６の動作状態をＬＣＤ３４にそれぞれ表示させる。また更に、制御回路２８では、制御回路１８から得た加熱コイル１３の動作状態、サーミスタ１４の温度データ、制御回路２７から得た電源スイッチオンオフ信号に基づき、ＬＣＤ３０とＬＣＤ３０のバックライト３１に動作信号を出力し、制御回路２７から得た加熱コイル２２の動作状態、サーミスタ２３の温度データ、電源スイッチオンオフ信号に基づき、ＬＣＤ３２とＬＣＤ３２のバックライト３３に動作信号を出力する。そしてまた、制御回路２８では、制御回路４０から得た電熱ヒータ３６の動作状態、サーミスタ３８の温度データ、制御回路２７から得た電源スイッチオンオフ信号に基づき、ＬＣＤ３４とＬＣＤ３４のバックライト３５に動作信号を出力する。
【００２３】
補助電源供給手段である電源トランス１６は電源スイッチ１１を介さずに商用電源１０に接続され、電源トランス１６の出力電圧を整流・平滑する電源回路１７が制御回路１８に直流電源電圧を供給し、電源トランス２５は同様に電源スイッチ１１を介さずに商用電源１０に接続され、補助電源供給手段である電源トランス２５の出力電圧を整流・平滑する電源回路２６が制御回路２７、制御回路２８、制御回路４０に直流電源電圧を供給する。電源トランス１６、２５により制御回路１８、２７、２８、４０は電源供給されているため、電源スイッチオフ時にも温度検知、バックライト、ＬＣＤの駆動が行なえる。
【００２４】
また、制御回路２７と制御回路４０の一部または全部が１個のマイクロコンピュータで構成され、制御回路１８も一部または全部が１個のマイクロコンピュータで、制御回路２８も一部または全部は１個がマイクロコンピュータ（制御手段）で構成され、合計３個のマイクロコンピュータを有している。
【００２５】
図２は図１の回路が内臓された加熱調理器の構成図で、加熱コイル１３と加熱コイル２２と電熱ヒータ３６が天板５０の下方に破線で示すように配置されている。構成図を上面から見たときの配置は、機器正面からみた左方に加熱コイル１３、右方に加熱コイル２２、中央奥に電熱ヒータ３６が設けられている。また、機器の前方側面には、左からＬＣＤ３０、ＬＣＤ３４、ＬＣＤ３２の順に配置され、それぞれのＬＣＤのバックライトであるバックライト３１、バックライト３５、バックライト３２も各ＬＣＤの直下に左から順に配置されている。
【００２６】
以上のように構成された加熱調理器について、その動作を図３を参照し説明する。図３の（ａ）は本発明の実施の形態１における加熱調理器のＬＣＤの左側加熱コイルで加熱時の表示例を示す図、（ｂ）は同、ＬＣＤの右側加熱コイルで加熱時の表示例を示す図、（ｃ）は同、ＬＣＤの電熱ヒータで加熱時の表示例を示す図である。電源スイッチ１０をオンし、使用者の操作により左側加熱コイル１３の動作スタートの信号を受け付けると、制御回路１８により周波数変換装置１２が動作する。周波数変換装置１２を動作させると、加熱コイル１３に高周波電流が供給されて、加熱コイル１３から高周波磁界が発生し、図２の加熱コイル１３上部の天板５０上に載置されたホーロー鍋等の鍋底に渦電流を誘起して加熱する。左側加熱コイル１３の加熱スタートすると制御回路２８により左側加熱コイル１３の動作状態表示用のＬＣＤ３０に加熱状態を示す表示を行なうとともにバックライト３１を点灯させる。同様に右側加熱コイル２２の動作スタートの信号を受け付けると、加熱コイル２２上部の天板５０上に載置されたホーロー鍋等の鍋底に渦電流を誘起して加熱する。右側加熱コイル２２の加熱スタートすると制御回路２８により右側加熱コイル２２の動作状態表示用のＬＣＤ３２に加熱状態を示す表示を行なうとともにバックライト３３を点灯させる。
【００２７】
電源スイッチ１０をオンし、使用者の操作により電熱ヒータ３６の動作スタートの信号を受け付けると、制御回路４０によりリレー３７をオンオフ制御することで電熱ヒータ３６上部の天板５０上の負荷を加熱する。電熱ヒータ３６の加熱スタートすると制御回路２８により電熱ヒータ３６の動作状態表示用のＬＣＤ３４に加熱状態を示す表示を行なうとともにバックライト３５を点灯させる。
【００２８】
左側加熱コイル１３、右側加熱コイル２２、電熱ヒータ３６による加熱パワーの大小はそれぞれ周波数変換装置１２、周波数変換装置２１、リレー３７の動作制御により行なうことができ、使用者が加熱パワーを調整すると対応した火力に制御するとともに、現在の各加熱源のパワーばどのレベルであるかをそれぞれＬＣＤ３０、ＬＣＤ３２、ＬＣＤ３４で表示する。
【００２９】
電源スイッチオンの状態で加熱動作をしておらず且つサーミスタが高温検知していない時は、それぞれＬＣＤ３０、ＬＣＤ３２、ＬＣＤ３４は全消灯し、バックライト３１、３３、３５のみ点灯させる。電源スイッチオフで且つサーミスタが高温検知していない時は、ＬＣＤ３０、ＬＣＤ３２、ＬＣＤ３４は全消灯し、バックライト３１、３３、３５も全消灯させる。
【００３０】
図４（ａ）は、本発明の実施の形態１における加熱調理器の左側加熱コイルの加熱動作時の高温検知時の表示例を示す図、（ｂ）は、同、左側加熱コイルの加熱停止時の高温検知時の表示例を示す図、（ｃ）は、同、左側加熱コイルの電源オフ時の高温検知時の表示例を示す図である。左側加熱コイル１３による加熱により鍋もしくは左側加熱コイル１３近傍の天板の温度が上昇しサーミスタ１４の検知温度が所定温度（ここでは７０℃とする）を超えると、制御回路１８はフォトカプラ２０を介して制御回路２８に高温データを送り、制御回路２８は左側加熱コイル用ＬＣＤ３０に“左高温”の文字を点灯させるともにバックライト３１を点滅させる（図４（ａ）に図示）。
【００３１】
左側加熱コイル１３の加熱動作を停止後も、サーミスタ１４の検知温度が７０℃以上であればＬＣＤ３０の“左高温”文字の点灯とバックライト３１の点滅動作を行なう。左側加熱コイル１３の加熱動作を停止後、サーミスタ１４の検知温度が７０℃未満となると、ＬＣＤ３０の“左高温”文字を消灯、バックライト３１を点滅から点灯に動作変化させる（図４（ｂ）に図示）。
【００３２】
また、電源スイッチオフ後もサーミスタ１４の検知温度が７０℃以上であればＬＣＤ３０の“左高温”文字の点灯とバックライト３１の点滅動作を行なう。電源スイッチオフ後、サーミスタ１４の検知温度が７０℃未満となると、ＬＣＤ３０の“左高温”文字を消灯させ、バックライト３１を点滅から消灯に動作変化させる（図４（ｃ）に図示）。
【００３３】
同様に、図５（ａ）は、本発明の実施の形態１における加熱調理器の右側加熱コイルの加熱動作時の高温検知時の表示例を示す図、（ｂ）は、同、右側加熱コイルの加熱停止時の高温検知時の表示例を示す図、（ｃ）は、同、右側加熱コイルの電源オフ時の高温検知時の表示例を示す図である。右側加熱コイル２２による加熱により鍋もしくは右側加熱コイル２２近傍の天板の温度が上昇しサーミスタ２３の検知温度が７０℃を超えると、制御回路２７は制御回路２８に高温データを送り、制御回路２８は右側加熱コイル用ＬＣＤ３２に“右高温”の文字を点灯させるともにバックライト３３を点滅させる（図５（ａ）に図示）。
【００３４】
右側加熱コイル２２の加熱動作を停止後も、サーミスタ２３の検知温度が７０℃以上であればＬＣＤ３２の“右高温”文字の点灯とバックライト３３の点滅動作を行なう。右側加熱コイル２２の加熱動作を停止後、サーミスタ１４の検知温度が７０℃未満となると、ＬＣＤ３２の“右高温”文字を消灯させ、バックライト３３を点滅から点灯に動作変化させる（図５（ｂ）に図示）。
【００３５】
また、電源スイッチオフ後もサーミスタ２３の検知温度が７０℃以上であればＬＣＤ３２の“右高温”文字の点灯とバックライト３３の点滅動作を行なう。電源スイッチオフ後、サーミスタ２３の検知温度が７０℃未満となると、ＬＣＤ３２の“右高温”文字を消灯させ、バックライト３３を点滅から点消灯に動作変化させる（図５（ｃ）に図示）。
【００３６】
また同様に、図６（ａ）は、本発明の実施の形態１における加熱調理器の電熱ヒータの加熱動作時の高温検知時の表示例を示す図、（ｂ）は、同、電熱ヒータの加熱停止時の高温検知時の表示例を示す図、（ｃ）は、同、電熱ヒータの電源オフ時の高温検知時の表示例を示す図である。電熱ヒータ３６による加熱により鍋もしくは電熱ヒータ３６近傍の天板の温度が上昇しサーミスタ３８の検知温度が７０℃を超えると、制御回路４０は制御回路２８に高温データを送り、制御回路２８は電熱ヒータ用ＬＣＤ３４に“中央高温”の文字を点灯させるともにバックライト３５を点滅させる（図６（ａ）に図示）。
【００３７】
電熱ヒータ３６の加熱動作を停止後も、サーミスタ３８の検知温度が７０℃以上であればＬＣＤ３４の“中央高温”文字の点灯とバックライト３５の点滅動作を行なう。電熱ヒータ３６の加熱動作を停止後、サーミスタ３８の検知温度が７０℃未満となると、ＬＣＤ３４の“中央高温”文字を消灯させ、バックライト３５を点滅から点灯に動作変化させる（図６（ｂ）に図示）。
【００３８】
また、電源スイッチオフ後もサーミスタ３８の検知温度が７０℃以上であればＬＣＤ３４の“中央高温”文字の点灯とバックライト３５の点滅動作を行なう。電源スイッチオフ後、サーミスタ３８の検知温度が７０℃未満となると、ＬＣＤ３４の“中央高温”文字を消灯させ、バックライト３５を点滅から点消灯に動作変化させる（図６（ｃ）に図示）。
【００３９】
以上のように、本実施の形態においては、サーミスタが高温であることを検出した時、当該加熱源のＬＣＤと、そのバックライトの動作を変化させることで、高温となっている機器の箇所を視覚的にわかりやすく表示し、使用者への高温警告効果を高めることができる。また、ＬＣＤの視認性を向上させる既存の構成要素であるバックライトを用いて高温となっている加熱源近傍箇所を表示するため、各加熱源毎に独立した高温表示ランプ等の高温報知手段を設けたり、独立した高温報知手段自体設けたりせずとも、高温警告でき安価な構成となる。
【００４０】
また、専用の高温報知手段がなくとも高温警告可能であるため、高温報知手段設置用に必要となる物理上のスペースが不要となり、そのスペースを利用してＬＣＤ等の表示部を大きくする等の視認性の向上を行なうこともできる。
【００４１】
また、各加熱源が加熱動作していない時においても、サーミスタが高温であることを検出すると、当該加熱源のＬＣＤと、そのバックライトの動作を変化させることで、高温となっている機器の箇所を視覚的にわかりやすく表示でき、使用者への高温警告を効果的に行なうことができる。
【００４２】
また、電源スイッチオフ時にもＬＣＤやバックライトに電源供給する電源トランスを具備することで、電源スイッチオフ時であっても、サーミスタが高温であることを検出すると、当該加熱源のＬＣＤと、そのバックライトの動作を変化させることで、高温となっている機器の箇所を視覚的にわかりやすく表示でき、使用者への高温警告を効果的に行なうことができる。
【００４３】
尚、本実施の形態では、高温となっている加熱源の、動作状態表示ＬＣＤのバックライトを点滅させることで、高温となっている加熱源を報知したが、サーミスタが高温を検知すると動作状態表示ＬＣＤのバックライトの色を高温でない時と変化させることで高温となっている加熱源を報知したとしても同等の効果が得られる。
【００４４】
また尚、本実施の形態では、ＬＣＤの“左高温”“右高温”“中央高温”の文字の点灯とバックライトの点滅動作で高温警告を行なっているが、前記のどちらか一方であったとしても同等の効果が得られる。
【００４５】
また尚、本実施の形態では、ＬＣＤの高温検知時の文字表示は“左高温”“右高温”“中央高温”としたが、高温を意図する文字表示であれば、前期文字に限定するものではなく、同等の効果が得られる。
【００４６】
また尚、本実施の形態では、電源スイッチオフ時で高温検知している場合、バックライトを点滅するとして説明したが、高温非検知時はバックライト消灯であるため、高温検知時バックライトを点灯させるとしても同等の効果が得られる。
【００４７】
（実施の形態２）
図７は、本発明の第２の実施の形態における構成図を示すものである。表示手段であるＬＣＤとバックライトの配置のみ第１の実施と形態とことなるため、回路動作詳細説明は省略する。
【００４８】
図７に示すように、表示手段であるＬＣＤとバックライトを各加熱源の前方に配置することで、高温検知時のバックライト動作がどの加熱源を対象としているか明確になり、使用者への高温警告効果を更に高めることができる。
【００４９】
また、ＬＣＤの視認性を向上させる既存の構成要素であるバックライトを用いて高温となっている加熱源近傍箇所を表示するため、各加熱源毎に独立した高温表示ランプ等の高温報知手段を設けたり、独立した高温報知手段自体設けたりせずとも、高温警告でき安価な構成となる。
【００５０】
また、専用の高温報知手段がなくとも高温警告可能であるため、高温報知手段設置用に必要となる物理上のスペースが不要となり、そのスペースを利用してＬＣＤ等の表示部を大きくする等の視認性の向上を行なうこともできる。
【産業上の利用可能性】
【００５１】
以上のように、本発明にかかる加熱調理器は、高温となっている機器の箇所を視覚的にわかりやすく表示し高温警告効果を高めることが可能となるので、複数の加熱部を有した給湯器等の用途にも適用できる。
【図面の簡単な説明】
【００５２】
【図１】本発明の実施の形態１における加熱調理器の回路ブロック図
【図２】本発明の実施の形態１における加熱調理器の構成図
【図３】（ａ）本発明の実施の形態１における加熱調理器のＬＣＤの左側加熱コイルで加熱時の表示例を示す図（ｂ）同、ＬＣＤの右側加熱コイルで加熱時の表示例を示す図（ｃ）同、ＬＣＤの電熱ヒータで加熱時の表示例を示す図
【図４】（ａ）本発明の実施の形態１における加熱調理器の左側加熱コイルの加熱動作時の高温検知時の表示例を示す図（ｂ）同、左側加熱コイルの加熱停止時の高温検知時の表示例を示す図（ｃ）同、左側加熱コイルの電源オフ時の高温検知時の表示例を示す図
【図５】（ａ）本発明の実施の形態１における加熱調理器の右側加熱コイルの加熱動作時の高温検知時の表示例を示す図（ｂ）同、右側加熱コイルの加熱停止時の高温検知時の表示例を示す図（ｃ）同、右側加熱コイルの電源オフ時の高温検知時の表示例を示す図
【図６】（ａ）本発明の実施の形態１における加熱調理器の電熱ヒータの加熱動作時の高温検知時の表示例を示す図（ｂ）同、右側加熱コイルの加熱停止時の高温検知時の表示例を示す図（ｃ）同、右側加熱コイルの電源オフ時の高温検知時の表示例を示す図
【図７】本発明の実施の形態２における加熱調理器の構成図
【図８】従来の加熱調理器の上面図
【符号の説明】
【００５３】
１１  電源スイッチ
１３  加熱コイル（加熱源）
１４  サーミスタ（温度検知手段）
１６  電源トランス（補助電源供給手段）
２２  加熱コイル（加熱源）
２３  サーミスタ（温度検知手段）
２５  トランス（補助電源供給手段）
３０  ＬＣＤ（表示手段）
３１  バックライト
３２  ＬＣＤ（表示手段）
３３  バックライト
３４  ＬＣＤ（表示手段）
３５  バックライト
３６  電熱ヒータ（加熱源）
３８  サーミスタ（温度検知手段）
【図１】
2005267949.tif 000003
【図２】
2005267949.tif 000004
【図３】
2005267949.tif 000005
【図４】
2005267949.tif 000006
【図５】
2005267949.tif 000007
【図６】
2005267949.tif 000008
【図７】
2005267949.tif 000009
【図８】
2005267949.tif 000010